【手続補正書】
【提出日】平成17年5月17日(2005.5.17)
【手続補正１】
【補正対象書類名】特許請求の範囲
【補正対象項目名】全文
【補正方法】変更
【補正の内容】
【特許請求の範囲】
【請求項１】
生物学的液体の濾過システムであって、
生物学的液体収集アセンブリ、
５ｍｌより多いように測られた量の無菌気体を含み且つ該生物学的液体収集アセンブリと流体が流れるように連絡（以下「流体連絡」ともいう。）している血液成分保存コンテナを含む、血液成分保存アセンブリ、
該生物学的液体収集アセンブリの下流にあってそれと流体連絡しており且つ生物学的液体フィルターを含む、生物学的液体濾過アセンブリ、及び
該濾過アセンブリの下流にあってそれと流体連絡している生物学的液体貯蔵コンテナ
を含み、
該血液成分保存アセンブリが、重力により、該無菌気体の少なくとも一部を該生物学的液体収集アセンブリに自動的に移送するよう設定されているものであり、
該生物学的液体収集アセンブリが、重力により、その中の該無菌気体及び任意の生物学的液体を該生物学的液体濾過アセンブリに自動的に移送するよう設定されているものであり、該無菌気体が該フィルターの上流側に保持されそして該生物学的液体が該フィルターを通って該生物学的液体貯蔵コンテナに濾過されるものである濾過システム。
【請求項２】
該測られた量の無菌気体が約２０ｍｌと５０ｍｌの間である、請求項１記載のシステム。
【請求項３】
該血液成分保存コンテナが血液成分保存溶液をさらに含むものであり、且つ、該保存アセンブリが重力により該保存溶液の少なくとも一部を該生物学的液体収集アセンブリに自動的に移送するようさらに設定されているものである、請求項１又は請求項２記載のシステム。
【請求項４】
該生物学的液体収集アセンブリの下流にあってそれと流体連絡している衛星バッグアセンブリを更に含む、請求項１〜請求項３いずれか１項に記載のシステム。
【請求項５】
該衛星バッグアセンブリが少なくとも二つの衛星バッグコンテナを含むものである、請求項４記載のシステム。
【請求項６】
該少なくとも二つの衛星バッグコンテナが生物学的液体収集アセンブリと連絡する共通の流体経路（流体が流れる経路）を共有するものである、請求項５記載のシステム。
【請求項７】
該衛星バッグアセンブリが、該濾過アセンブリ及び該血液成分保存アセンブリの一方又は両方とは独立に、生物学的液体収集アセンブリと直接流体連絡しているものである、請求項４記載のシステム。
【請求項８】
該濾過アセンブリ及び血液成分保存アセンブリがお互い別々に生物学的液体収集アセンブリとそれぞれ直接流体連絡しているものである、請求項１〜請求項７いずれか１項に記載のシステム。
【請求項９】
該生物学的液体収集アセンブリが生物学的液体供給源と連絡するよう設定された生物学的液体収集装置を含むものである、請求項１〜請求項８いずれか１項に記載のシステム。
【請求項１０】
該生物学的液体収集アセンブリが、濾過アセンブリ及び血液成分保存アセンブリの一方又は両方とは独立に該収集装置と直接流体連絡している生物学的液体収集コンテナを含むものであり、該収集コンテナが該生物学的液体供給源から得られる生物学的液体を含むものである、請求項９記載のシステム。
【請求項１１】
該生物学的液体収集コンテナが、該保存溶液及び無菌気体の移送された部分をさらに含むものであり、該収集コンテナが、重力により、該生物学的液体、該保存溶液及び該無菌気体の少なくとも一部を該濾過アセンブリに自動的に移送するよう設定されているものである、請求項１０記載のシステム。
【請求項１２】
該生物学的液体が、生物学的液体フィルターを通過する単一流体経路を経て生物学的液体貯蔵コンテナに入るものである、請求項１〜請求項１１いずれか１項に記載のシステム。
【請求項１３】
該生物学的液体供給源が白血球を含むものであり、且つ、生物学的液体が該濾過システムを通して濾過されるときに該濾過アセンブリが該液体中の白血球の量を減らすものである、請求項１〜請求項１２いずれか１項に記載のシステム。
【請求項１４】
閉鎖したインライン濾過システムである、請求項１〜請求項１３いずれか１項に記載のシステム。
【請求項１５】
インライン濾過システム内で生物学的液体を処理する方法であって、
生物学的液体収集コンテナ内に生物学的液体を提供する工程、及び
第２コンテナに５ｍｌより多くなるように測られた量の無菌気体を提供する工程であって、該第２コンテナが該生物学的液体収集コンテナと流体連絡しているものである工程、
重力により、無菌気体の測られた量の少なくとも一部を生物学的液体収集コンテナ中に自動的に移送する工程、
無菌気体の測られた量により追跡される該生物学的液体を、重力により、該生物学的液体収集コンテナの下流の生物学的液体フィルターに自動的に移送する工程であって、該生物学的液体が該フィルターを通過しそして該無菌気体が該フィルターの上流に保持されるものである工程、及び
該濾過された生物学的液体を生物学的液体貯蔵コンテナ中に収集する工程を含む方法。
【請求項１６】
該測られた量の無菌気体が約２０ｍｌと５０ｍｌの間である、請求項１５記載の方法。
【請求項１７】
該第２のコンテナが血液成分保存溶液のある量をさらに含むものであり、該血液成分保存溶液が、該無菌気体の該自動移送の前に、重力により、該第２コンテナから該生物学的液体収集コンテナ中へ自動的に移送されるものである、請求項１５又は請求項１６記載の方法。
【請求項１８】
該血液成分保存溶液が該生物学的液体と共に該生物学的液体フィルターへそしてそれを通過して自動的に移送され、且つ、生物学的液体貯蔵コンテナ中に濾過された生物学的液体と共に収集されるものである、請求項１７記載の方法。
【請求項１９】
請求項１５〜請求項１８いずれか１項に記載の方法であって、
生物学的液体収集コンテナ内の生物学的液体から少なくとも一つの成分を分離する工程、及び
生物学的液体収集コンテナと流体連絡している少なくとも一つの衛星バッグコンテナに該少なくとも一つの成分を移送する工程、
を更に含む方法。
【請求項２０】
該少なくとも一つの成分を少なくとも一つの衛星バッグに移送する工程が、該無菌気体を該生物学的液体収集コンテナ中に自動的に移送する工程の前に行なわれるものである、請求項１９記載の方法。
【請求項２１】
該生物学的液体を該生物学的液体フィルターへ自動的に移送する工程及び該濾過された生物学的液体を収集する工程が、生物学的液体を該生物学的液体収集コンテナからの単一の連絡経路及び生物学的液体フィルターを通過させて該生物学的液体貯蔵コンテナ中へ至らしめる工程を含むものである、請求項１５〜請求項２０いずれか１項に記載の方法。
【請求項２２】
該生物学的液体貯蔵コンテナ中の濾過された生物学的液体及び血液成分保存溶液を収集する工程の後に、生物学的液体フィルターから生物学的液体収集コンテナ及び生物学的液体貯蔵コンテナの一方又は両方を分離する工程を更に含むものである、請求項１７〜請求項２１いずれか１項に記載の方法。
【請求項２３】
該生物学的液体を該生物学的液体フィルターに通す工程が生物学的液体成分及び生物学的液体化学薬剤から成る群の少なくとも一つのメンバーを除去するものである、請求項１５〜請求項２２いずれか１項に記載の方法。
【請求項２４】
該生物学的液体を該生物学的液体フィルターに通す工程が該生物学的液体から白血球を除去するものである、請求項２３記載の方法。
【請求項２５】
後の使用、長期間の貯蔵又はその両方のために生物学的液体貯蔵コンテナ中の濾過された生物学的液体及び血液成分保存溶液を調製する工程をさらに含む、請求項２３又は請求項２４記載の方法。